(57)【要約】【課題】電子メールを使用することなく、指定された送信先にデータを送信することができる技術を提供することを課題とする。【解決手段】ネットワーク複合機４は、ＰＣ５のコンピュータ名、共有フォルダ名などが記述された送信先登録データ７３をネットワーク複合機１に送信する。ネットワーク複合機１のユーザは、スキャンデータ７５の送信先を、送信先登録データ７３に基づいて指定する。ネットワーク複合機１は、スキャンデータ７５と、スキャンデータ７５の転送先を示す転送指示データ７６とを、インターネット印刷プロトコルを用いてネットワーク複合機４に送信する。ネットワーク複合機４は、スキャンデータ７５とともに転送指示データ７６を受信した場合、転送指示データ７６で指定された転送先にスキャンデータ７５を転送することを決定する。スキャンデータ７５は、ＳＭＢプロトコルに基づいてＰＣ５の共有フォルダ５１に保存される。【選択図】図４
2009253339.tif 000002
【特許請求の範囲】
【請求項１】
ネットワークを介して通信装置に接続されたデータ送信装置であって、
前記通信装置との間でファイル共有プロトコルを用いた通信が可能な端末装置の一覧情報を保持し、前記一覧情報を用いて送信データの送信先を設定する送信先設定部と、
前記送信先に設定された前記端末装置に前記送信データを転送することを前記通信装置に指示する転送指示情報を作成する転送指示情報作成部と、
遠隔印刷プロトコルに基づいて、前記送信データとともに前記転送指示情報を前記通信装置に送信する送信部と、
を備えることを特徴とするデータ送信装置。
【請求項２】
請求項１に記載の画像読み取り装置であって、さらに、
前記端末装置を特定する端末情報を受信し、受信した前記端末情報を前記一覧情報に登録する端末情報登録部、
を備えることを特徴とするデータ送信装置。
【請求項３】
ネットワークを介して接続された通信装置により遠隔印刷プロトコルを用いて送信された送信データを受信する受信部と、
前記受信部が前記送信データの転送を指示する転送指示情報を前記送信データとともに受信した場合、前記転送指示情報に基づいて前記送信データの転送先を決定する転送確認部と、
ファイル共有プロトコルに基づいて前記送信データを決定された前記転送先に転送する転送部と、
を備えることを特徴とするデータ転送装置。
【請求項４】
請求項３に記載のデータ転送装置において、さらに、
自装置が前記送信データを転送することができる装置を示す転送先情報を保持し、前記通信装置が前記送信データを送信する前に前記転送先情報を前記通信装置に送信する転送先管理部、
を備えることを特徴とするデータ転送装置。
【発明の詳細な説明】
【技術分野】
【０００１】
本発明は、ネットワークを介して電子データを送信するデータ送信装置、およびデータ送信装置から受信した電子データを指定された端末装置に転送するデータ転送装置に関する。
【背景技術】
【０００２】
近年、オフィスなどでは、１台でコピー機能、ファックス機能、プリンタ機能、スキャナ機能、電子メール機能などの多機能を備えたネットワーク複合機が用いられている。ネットワーク複合機は、通常、ＬＡＮ（Ｌｏｃａｌ  Ａｒｅａ  Ｎｅｔｗｏｒｋ）に接続されて使用される。ユーザは、ＬＡＮに接続するＰＣ（Ｐｅｒｓｏｎａｌ  Ｃｏｍｐｕｔｅｒ）を操作して、ネットワーク複合機の各種機能を利用することができる。
【０００３】
また、ネットワーク複合機が有する機能の一つとして、原稿をスキャンして作成したスキャン画像データを、ユーザが指定したＰＣの共有フォルダに保存する機能がある。たとえば、特許文献１に係る画像読取装置において、ユーザが入力したユーザ識別情報に対応する共有フォルダ名の一覧が、表示部に表示される。特許文献１に係る画像読取装置は、表示部に表示された共有フォルダ名の一覧からユーザが選択したフォルダに、スキャン画像データを保存する。
【０００４】
【特許文献１】特開２００７−３０６３８３号公報
【発明の開示】
【発明が解決しようとする課題】
【０００５】
上述した特許文献１に係る画像読取装置において、同一のＬＡＮに接続するコンピュータが、スキャン画像データの送信対象となる。つまり、特許文献１に係る画像読取装置は、他のＬＡＮに接続するコンピュータに、スキャン画像データを送信できない。
【０００６】
一方、電子メールを用いて指定されたメールアドレスにスキャン画像データを送信するネットワーク複合機が存在する。このようなネットワーク複合機は、インターネットなどを介して接続するＰＣに対して、スキャン画像データを送信することができる。しかしながら、電子メールを用いてスキャン画像データを送信する場合、ネットワーク複合機および送信先のコンピュータが、メールサーバに接続できる環境下にいなければならない。
【０００７】
このように、スキャン画像データを送信する場合、送信先のコンピュータの接続環境に応じてネットワーク複合機の設定をユーザが変更しなければならず、ネットワーク複合機の操作性が損なわれるおそれがあった。また、ネットワーク複合機または送信先のコンピュータの接続環境によっては、スキャン画像データを送信できないケースが発生するという問題があった。
【０００８】
そこで、本発明は前記問題点に鑑み、電子メールを使用することなく、指定された送信先にデータを送信することができる技術を提供することを目的とする。
【課題を解決するための手段】
【０００９】
上記課題を解決するため、請求項１記載の発明は、ネットワークを介して通信装置に接続されたデータ送信装置であって、前記通信装置との間でファイル共有プロトコルを用いた通信が可能な端末装置の一覧情報を保持し、前記一覧情報を用いて送信データの送信先を設定する送信先設定部と、前記送信先に設定された前記端末装置に前記送信データを転送することを前記通信装置に指示する転送指示情報を作成する転送指示情報作成部と、遠隔印刷プロトコルに基づいて、前記送信データとともに前記転送指示情報を前記通信装置に送信する送信部と、を備えることを特徴とする。
【００１０】
請求項２記載の発明は、請求項１に記載の画像読み取り装置であって、さらに、前記端末装置を特定する端末情報を受信し、受信した前記端末情報を前記一覧情報に登録する端末情報登録部、を備えることを特徴とする。
【００１１】
請求項３記載の発明は、ネットワークを介して接続された通信装置により遠隔印刷プロトコルを用いて送信された送信データを受信する受信部と、前記受信部が前記送信データの転送を指示する転送指示情報を前記送信データとともに受信した場合、前記転送指示情報に基づいて前記送信データの転送先を決定する転送確認部と、ファイル共有プロトコルに基づいて前記送信データを決定された前記転送先に転送する転送部と、を備えることを特徴とする。
【００１２】
請求項４記載の発明は、請求項３に記載のデータ転送装置において、さらに、自装置が前記送信データを転送することができる装置を示す転送先情報を保持し、前記通信装置が前記送信データを送信する前に前記転送先情報を前記通信装置に送信する転送先管理部、
を備えることを特徴とする。
【発明の効果】
【００１３】
本発明に係るデータ送信装置は、端末装置に送信データを送信する場合、データとともに端末装置への送信データの転送を指示する転送指示情報を、遠隔印刷プロトコルを用いて、前記端末装置と通信することができる通信装置に送信する。これにより、本発明に係るデータ送信装置は、電子メールを使用することなく、直接データを送信することができない端末装置に対してデータを送信することができる。
【００１４】
また、本発明に係るデータ転送装置は、遠隔印刷プロトコルに基づいて送信データとともに転送指示情報を受信した場合、受信した送信データを、ファイル共有プロトコルを用いて転送する。本発明に係るデータ転送装置を用いることによって、送信データの送信元の通信装置は、電子メールを使用することなく、直接データを送信することができない装置にデータを送信することができる。
【発明を実施するための最良の形態】
【００１５】
以下、図面を参照しつつ本発明の実施の形態について説明する。本実施の形態では、本発明に係るデータ送信装置およびデータ転送装置の一例として、ネットワーク複合機について説明する。
【００１６】
図１は、本実施の形態に係るネットワーク複合機１、４を含むネットワークシステムの構成図である。図１に示すネットワークシステムでは、ネットワークシステム１００、２００がインターネット３００を介して接続されている。ネットワークシステム１００、２００は、互いに離れた場所に構築されており、たとえば、企業の拠点などに構築される。
【００１７】
ネットワークシステム１００は、ネットワーク複合機１と、ＰＣ２とがそれぞれＬＡＮ３に接続された構成である。ネットワークシステム２００は、ネットワーク複合機４と、ＰＣ５とがそれぞれＬＡＮ６に接続された構成である。ＬＡＮ３、６は、それぞれ図示しないルータなどを介して、インターネット３００に接続している。
【００１８】
図１に示すネットワークシステムにおいて、ネットワーク複合機１が原稿７０を読み取って作成したスキャンデータ７５が、ＰＣ５の共有フォルダ５１に保存される遠隔保存処理が実行される。図１に示す破線矢印は、遠隔保存処理におけるスキャンデータ７５の流れを示している。
【００１９】
遠隔保存処理において、ネットワーク複合機１は、Ｉｎｔｅｒｎｅｔ  Ｐｒｉｎｔｉｎｇ  Ｐｒｏｔｏｃｏｌ（ＩＰＰ）を用いて、スキャンデータ７５をネットワーク複合機４に送信する。ネットワーク複合機４は、ＳＭＢ（Ｓｅｒｖｅｒ  Ｍｅｓｓａｇｅ  Ｂｌｏｃｋ）プロトコルを用いて、ＰＣ５に作成された共有フォルダ５１にスキャンデータ７５を保存する。
【００２０】
まず、ネットワーク複合機１の構成について説明する。図２は、ネットワーク複合機１の構成を示すブロック図である。ネットワーク複合機１は、制御部１１と、操作部１２と、タッチパネル式ディスプレイ１３と、スキャナ部１４と、プリンタ部１５と、ＦＡＸ（ファクシミリ）部１６と、ＬＡＮインタフェース１７とを備える。
【００２１】
制御部１１は、送信先設定部１１１と、ＩＰＰ処理部１１２と、マイクロプロセッサ（図示省略）とを備える。マイクロプロセッサは、ネットワーク複合機１の全体制御を行う。
【００２２】
送信先設定部１１１は、スキャナ部１４が作成したスキャンデータ７５の送信先の設定などを行う。ＩＰＰ処理部１１２は、インターネット３００を介して接続する各コンピュータとの間で、ＩＰＰを用いたデータの送受信を行う。
【００２３】
操作部１２は、ネットワーク複合機１に対する各種の指示を入力するためのハードウェアキーなどで構成される。タッチパネル式ディスプレイ１３は、ネットワーク複合機１に関する情報、および各種の操作メニューを表示する。
【００２４】
スキャナ部１４は、ＡＤＦ（Ａｕｔｏ  Ｄｏｃｕｍｅｎｔ  Ｆｅｅｄｅｒ）等にセットされた原稿７０を１ページずつ読み取り、各ページに対応する画像データとしてスキャンデータ７５、７５・・・を出力する。プリンタ部１５は、スキャンデータ７５またはＰＣ２が送信した印刷データなどを、各種の設定条件に応じて印刷用紙に印刷する。ＦＡＸ部１６は、公衆回線網（図示省略）を用いたファクシミリ通信を行う。
【００２５】
ＬＡＮインタフェース１７は、ＬＡＮ３などに接続された各コンピュータとの間で、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）を用いたデータの送受信を行う。
【００２６】
次に、ネットワーク複合機４の構成について説明する。図３は、ネットワーク複合機４の構成を示すブロック図である。ネットワーク複合機４は、制御部４１と、操作部４２と、タッチパネル式ディスプレイ４３と、スキャナ部４４と、プリンタ部４５と、ＦＡＸ部４６と、ＬＡＮインタフェース４７とを備える。
【００２７】
制御部４１は、転送先決定部４１１と、ＩＰＰ処理部４１２と、転送処理部４１３と、メモリ４１４と、マイクロプロセッサ（図示省略）とを備える。マイクロプロセッサは、ネットワーク複合機４の全体制御を行う。
【００２８】
転送先決定部４１１は、ネットワーク複合機１から受信したデータの内容に応じて、受信したデータを転送するかどうかを判定する。ＩＰＰ処理部４１２は、インターネット３００に接続する各コンピュータとの間で、ＩＰＰを用いたデータの送受信を行う。転送処理部４１３は、ＳＭＢプロトコルを用いて、ＰＣ５に作成された共有フォルダ５１にデータを保存する。メモリ４１４は、ＲＡＭ（Ｒａｎｄｏｍ  Ａｃｃｅｓｓ  Ｍｅｍｏｒｙ）などで構成されており、受信したデータを一時的に記憶する。
【００２９】
操作部４２、タッチパネル式ディスプレイ４３、スキャナ部４４、プリンタ部４５、ＦＡＸ部４６、ＬＡＮインタフェース４７については、ネットワーク複合機１の各構成要素と同様であるため、その説明を省略する。
【００３０】
以下、上述した構成を有するネットワーク複合機１、４の動作について詳しく説明する。まず、遠隔保存処理における処理の流れの概要について、図４を用いて説明する。
【００３１】
図４は、遠隔保存処理におけるネットワーク複合機１、４およびＰＣ５の処理の流れを示す図である。なお、ステップＳ１〜Ｓ３に示す処理は、遠隔保存処理の準備段階に相当する。
【００３２】
まず、ＰＣ５のユーザは、ＰＣ５を操作して共有フォルダ登録情報７１を作成し、共有フォルダ登録情報７１をネットワーク複合機４に送信する（ステップＳ１）。共有フォルダ登録情報７１は、ＰＣ５のコンピュータ名、共有フォルダ５１のフォルダ名、ユーザＩＤ、パスワード、スキャンデータ７５の送信元（ネットワーク複合機１）のＩＰアドレスなどが記述されたデータである。
【００３３】
ネットワーク複合機４において、転送先決定部４１１は、受信した共有フォルダ登録情報７１を共有フォルダ管理データ７２に登録し、送信先登録データ７３をネットワーク複合機１に送信する（ステップＳ２）。ネットワーク複合機１では、送信先設定部１１１が、送信先登録データ７３を受信した場合、送信先管理テーブル７４にＰＣ５のコンピュータ名と、共有フォルダ５１のフォルダ名とを登録する（ステップＳ３）。
【００３４】
このように、ネットワーク複合機１、４に共有フォルダ５１に関する情報を登録することによって、遠隔保存処理を実行することが可能となる。
【００３５】
次に、ネットワーク複合機１のユーザが、原稿７０をスキャナ部１４のＡＤＦにセットし、遠隔保存処理の設定を行う（ステップＳ４）。スキャナ部１４は、ネットワーク複合機１のユーザの指示に応じて、原稿７０を読み取ってスキャンデータ７５、７５・・・を作成する（ステップＳ５）。ＩＰＰ処理部１１２は、スキャンデータ７５と、スキャンデータ７５の転送を指示する転送指示データ７６とを、ＩＰＰを用いてネットワーク複合機４に送信する（ステップＳ６）。
【００３６】
ネットワーク複合機４は、転送指示データ７６を受信することにより、スキャンデータ７５をＰＣ５に転送する（ステップＳ７）。スキャンデータ７５は、ＳＭＢプロトコルに基づいて共有フォルダ５１に保存される。これにより、スキャンデータ７５の遠隔保存処理が終了する。
【００３７】
次に、上述した処理について詳しく説明する。図５は、共有フォルダ登録情報７１の登録処理（ステップＳ２）における、ネットワーク複合機４の動作の流れを示すフローチャートである。まず、ＰＣ５が、ＨｙｐｅｒＴｅｘｔ  Ｔｒａｎｓｆｅｒ  Ｐｒｏｔｏｃｏｌ（ＨＴＴＰ）のＰｏｓｔコマンドなどを用いて、共有フォルダ登録情報７１をネットワーク複合機４に送信する。
【００３８】
ネットワーク複合機４が共有フォルダ登録情報７１を受信した場合（ステップＳ２１においてＹｅｓ）、転送先決定部４１１は、受信した共有フォルダ管理情報７１に基づいて共有フォルダ管理データ７２を更新する（ステップＳ２２）。共有フォルダ管理データ７２には、ＰＣ５あるいは図示しない他のＰＣから送信された共有フォルダ登録情報７１が蓄積されている。
【００３９】
次に、転送先決定部４１１は、受信した共有フォルダ登録情報７１に基づいて、送信先登録データ７３を作成する（ステップＳ２３）。ＩＰＰ処理部４１２は、送信先登録データ７３を、ＩＰＰを用いてネットワーク複合機１に送信する（ステップＳ２４）。これにより、図５に示す処理が終了する。
【００４０】
送信先登録データ７３は、ｃｓｖ（Ｃｏｍｍａ  Ｓｅｐａｒａｔｅｄ  Ｖａｌｕｅｓ）形式のデータであり、ネットワーク複合機４のＩＰアドレス、ネットワーク複合機４の名前、ＰＣ５のコンピュータ名、共有フォルダ５１のフォルダ名などが記述される。なお、ネットワーク複合機４のＩＰアドレスに代えて、ＵＲＩ（Ｕｎｉｆｏｒｍ  Ｒｅｓｏｕｒｃｅ  Ｉｄｅｎｔｉｆｉｅｒ）情報が記述されてもよい。また、ネットワーク複合機４の名前は、ネットワーク複合機１のユーザがネットワーク複合機４であることを認識できる情報であればよい。たとえば、ネットワーク複合機４の設置場所などが記述されていてもよい。
【００４１】
次に、送信先登録データ７３の登録処理（ステップＳ３）について説明する。図６は、送信先登録データ７３の登録処理におけるネットワーク複合機１の動作の流れを示すフローチャートである。
【００４２】
まず、ネットワーク複合機１がＩＰＰに基づくデータを受信した場合（ステップＳ３１においてＹｅｓ）、送信先設定部１１１は、受信したデータがｃｓｖ形式のデータであるかどうかを判断する（ステップＳ３２）。受信したデータがｃｓｖ形式でない場合（ステップＳ３２においてＮｏ）、プリンタ部１５が受信したデータを印刷する（ステップＳ３５）ことで、図６に示す処理が終了する。
【００４３】
一方、受信したデータがｃｓｖ形式のデータである場合（ステップＳ３２においてＹｅｓ）、受信したデータが送信先登録データ７３であるかどうかを、送信先設定部１１１が判断する（ステップＳ３３）。受信したデータが送信先登録データ７３でない場合（ステップＳ３３においてＮｏ）、プリンタ部１５が受信したデータを印刷する（ステップＳ３５）ことで、図６に示す処理が終了する。
【００４４】
受信したデータが送信先登録データ７３の場合（ステップＳ３３においてＹｅｓ）、送信先設定部１１１は、送信先登録データ７３に基づいて送信先管理テーブル７４を更新する（ステップＳ３４）。これにより、スキャンデータ７５の遠隔保存処理に必要な共有フォルダ５１に関する情報の登録が完了する。つまり、スキャンデータ７５の遠隔保存処理が可能な状態となる。
【００４５】
図７は、送信先管理テーブル７４の一例を示す図である。図７に示すように、送信先管理テーブル７４では、送信先登録データ７３に記述された各項目の情報が、スキャンデータ７５を転送する転送装置（ネットワーク複合機４など）のＩＰアドレスに基づいて管理されている。図７において破線で示すデータが、ＰＣ５の共有フォルダ５１に対応するデータであるとする。また、共有フォルダ５１のフォルダ名として、共有フォルダ５１のネットワークパスが記録されている。
【００４６】
次に、遠隔保存処理の設定（ステップＳ４）について説明する。図８は、遠隔保存処理における設定画面１３１の初期状態を示す図である。図９は、ネットワーク複合機４の動作確認を完了した後における設定画面１３１を示す図である。
【００４７】
ネットワーク複合機１のユーザは、操作部１２またはタッチパネル式ディスプレイ１３を操作して、図８に示す設定画面１３１を呼び出す。図８に示す設定画面１３１には、送信先管理テーブル７４に記述された転送装置名がそれぞれ記述された選択ボタン１３２、１３２・・・が表示される。
【００４８】
たとえば、「拠点Ｂ」に対応する選択ボタン１３２が押されることにより、ＩＰＰ処理部１１２は、ネットワーク複合機４に対して動作確認要求を行う（ステップＳ４１）。具体的には、ＩＰＰ処理部１１２が、動作確認通知をネットワーク複合機４に送信する。動作確認通知の送信には、プリンタ属性情報を要求するＩＰＰのコマンド（Ｇｅｔ−Ｐｒｉｎｔｅｒ−Ａｔｔｒｉｂｕｔｅコマンド）などが用いられる。
【００４９】
動作確認応答としてネットワーク複合機４からプリンタ属性情報を受信した場合、送信先設定部１１１は、ネットワーク複合機４が動作中であると判断する。送信先設定部１１１は、応答確認処理（ステップＳ４２）として、図９に示す設定画面１３１を表示する。図９に示す設定画面１３１には、送信先管理テーブル７４に基づいて、ネットワーク複合機４に対応する共有フォルダの一覧情報１３３が表示されている。
【００５０】
たとえば、一覧情報１３３からスキャンデータ７５の送信先として、ＰＣ５に対応する「ＰＣ−００５」が選択されたとする。この場合、送信先設定部１１１は、ＰＣ５のコンピュータ名と、共有フォルダ５１のフォルダ名とがｃｓｖ形式で記述された転送指示データ７６を作成する。これにより、遠隔保存処理の設定が完了する。そして、図９に示すスキャン開始ボタン１３４が押されることで、スキャナ部１４は、スキャン処理（ステップＳ５）を実行する。
【００５１】
なお、送信先設定部１１１は、プリンタ属性情報を受信できない場合、遠隔保存処理ができないことを示すメッセージをタッチパネル式ディスプレイ１３に表示し、遠隔保存処理の設定を終了する。
【００５２】
次に、スキャンデータ送信処理（ステップＳ６）について説明する。図１０は、スキャンデータ送信処理におけるネットワーク複合機１の動作の流れを示すフローチャートである。
【００５３】
まず、ＩＰＰ処理部１１２が、ネットワーク複合機４に対してジョブ生成要求を送信する（ステップＳ６１）。ジョブ生成応答を受信した場合（ステップＳ６２においてＹｅｓ）、転送指示データ７６がネットワーク複合機４に送信される（ステップＳ６３）。ジョブ生成要求の送信には、ＩＰＰのＣｒｅａｔｅ−Ｊｏｂコマンドなどが用いられ、転送指示データ７６の送信には、Ｓｅｎｄ−Ｄｏｃｕｍｅｎｔコマンドが用いられる。
【００５４】
次に、原稿７０の各ページに対応するスキャンデータ７５がネットワーク複合機４に送信される。具体的には、ＩＰＰ処理部１１２は、送信するスキャンデータ７５が最後のデータであるかを確認する（ステップＳ６４）。最後のデータでない場合（ステップＳ６４においてＮｏ）、ＩＰＰ処理部１１２は、Ｓｅｎｄ−Ｄｏｃｕｍｅｎｔｏコマンドを用いて、スキャンデータ７５をネットワーク複合機４に送信する（ステップＳ６５）。
【００５５】
一方、最後のデータである場合（ステップＳ６４においてＹｅｓ）。ＩＰＰ処理部１１２は、Ｓｅｎｄ−Ｄｏｃｕｍｅｎｔコマンドにおけるｌａｓｔ−ｄｏｃｕｍｅｎｔ属性を「ｔｒｕｅ」にして、スキャンデータ７５を送信する（ステップＳ６６）。ｌａｓｔ−ｄｏｃｕｍｅｎｔ属性とは、送信するデータが最終データであることを示すフラグ情報である。これにより、ネットワーク複合機１は、図１０に示す処理を終了する。
【００５６】
次に、スキャンデータ転送処理（ステップＳ７）について説明する。図１１は、スキャンデータ転送処理におけるネットワーク複合機４の動作の流れを示すフローチャートである。
【００５７】
ＩＰＰ処理部４１２は、ジョブ生成要求をネットワーク複合機１から受信した場合（ステップＳ７１においてＹｅｓ）、ジョブ生成応答をネットワーク複合機１に返信する（ステップＳ７２）。これにより、ネットワーク複合機４は、ネットワーク複合機１からデータを受信することができる状態となる。
【００５８】
ＩＰＰ処理部４１２は、フラグ情報がない状態でデータを受信した場合（ステップＳ７３においてＮｏ）、データの内容に関係なく、受信したデータをメモリ４１４に記憶する（ステップＳ７４）。一方、フラグ情報とともにデータを受信した場合（ステップＳ７３においてＹｅｓ）、ＩＰＰ処理部４１２は、受信したデータをメモリ４１４に記憶し、全ての受信データの内容を確認する（ステップＳ７５）。受信データ中に転送指示データ７６がない場合（ステップＳ７６においてＮｏ）、プリンタ部４５が受信データを印刷する（ステップＳ７７）ことで、図１１に示す処理が終了する。
【００５９】
一方、受信データ中に転送指示データ７６がある場合（ステップＳ７６においてＹｅｓ）、転送処理部４１３が、ＳＭＢプロトコルを用いて受信データに含まれるスキャンデータ７５をＰＣ５に転送する（ステップＳ７８）。
【００６０】
具体的には、転送処理部４１３は、転送指示データ７６に記述されたＰＣ名、共有フォルダ名に基づいて、共有フォルダ管理データ７２からＰＣ５のユーザ名、パスワードを取得する。転送処理部４１３は、ＰＣ５との間でＳＭＢプロトコルに基づくセッションを開設する。転送処理部４１３は、取得したＰＣ５のユーザ名、パスワードをＰＣ５に送信して、ＰＣ５に認証を要求する。ＰＣ５の認証の後で、転送処理部４１３は、スキャンデータ７５の送信先を共有フォルダ５１に指定し、スキャンデータ７５をＰＣ５に送信する。これにより、スキャンデータ７５の遠隔保存処理が完了する。
【００６１】
以上説明したように、本実施の形態に係るネットワーク複合機１は、スキャンデータ７５と転送指示データ７６とを、ＩＰＰを用いてネットワーク複合機４に送信する。ネットワーク複合機４は、転送指示データ７６が指示する転送先に受信したスキャンデータ７５をＰＣ５に送信する。これにより、ネットワーク複合機４は、電子メールを用いることなく、スキャンデータ７５をＰＣ５に送信することができる。
【００６２】
なお、本実施の形態において、遠隔保存処理の設定（ステップＳ４）時に、ＩＰＰ処理部１１２がネットワーク複合機４の動作確認を行う例について説明したが、これに限られない。たとえば、ＩＰＰ処理部１１２は、ユーザがスキャン開始ボタン１３４を押した際に、ネットワーク複合機４の動作確認を行ってもよい。
【００６３】
なお、本実施の形態において、ネットワーク複合機１がＩＰＰを用いて送信先登録データ７３を送信する例について説明したが、これに限られない。たとえば、ネットワーク複合機４は、ＨＴＴＰを用いて送信先登録データ７３をネットワーク複合機１に送信してもよい。また、ネットワーク複合機４は、送信先登録データ７３をバイナリデータに変換し、ＦＡＸ部４６を介してバイナリデータをネットワーク複合機１に送信してもよい。
【図面の簡単な説明】
【００６４】
【図１】本発明の実施の形態に係るネットワーク複合機を含むネットワークシステムの構成図である。
【図２】スキャンデータを送信するネットワーク複合機の構成を示すブロック図である。
【図３】スキャンデータを転送するネットワーク複合機の構成を示すブロック図である。
【図４】遠隔保存処理における各装置の処理の流れを示す図である。
【図５】共有フォルダ登録情報の登録処理の流れを示すフローチャートである。
【図６】送信先登録データの登録処理の流れを示すフローチャートである。
【図７】送信先管理テーブルの一例を示す図である。
【図８】遠隔保存処理の設定画面の初期状態を示す図である。
【図９】スキャンデータを転送する装置の動作確認後における、遠隔保存処理の設定画面を示す図である。
【図１０】スキャンデータ送信処理の流れを示すフローチャートである。
【図１１】スキャンデータ転送処理の流れを示すフローチャートである。
【符号の説明】
【００６５】
１、４  ネットワーク複合機
５  ＰＣ（パーソナルコンピュータ）
１１、４１  制御部
１２、４２  操作部
１３、４３  タッチパネル式ディスプレイ
１４、４４  スキャナ部
１５、４５  プリンタ部
５１  共有フォルダ
１１１  送信先設定部
１１２、４１２  ＩＰＰ処理部
４１１  転送先決定部
４１３  転送処理部
４１４  メモリ
【図１】
2009253339.tif 000003
【図２】
2009253339.tif 000004
【図３】
2009253339.tif 000005
【図４】
2009253339.tif 000006
【図５】
2009253339.tif 000007
【図６】
2009253339.tif 000008
【図７】
2009253339.tif 000009
【図８】
2009253339.tif 000010
【図９】
2009253339.tif 000011
【図１０】
2009253339.tif 000012
【図１１】
2009253339.tif 000013